(57)【要約】【課題】テクスチャ調整を迅速かつ容易に行うことができるテクスチャ調整装置、テクスチャ調整方法及びテクスチャ調整プログラムを提供することを目的とする。【解決手段】ディザパターンを変更することでテクスチャ調整を行うテクスチャ調整装置であって、指定された調整階調のディザパターンにおけるドット出力箇所のうち、調整階調を変えることなくドット出力箇所を入れ替えた複数の候補ディザパターンを作成する候補ディザパターン作成手段３２と、連続的に並べられた候補ディザパターンにより構成されるパッチを候補ディザパターン毎に作成して出力するパッチ出力手段３３と、パッチ出力手段３３による出力結果に基づき、テクスチャが最も軽減している候補ディザパターンを使用者に選定させるディザパターン選定手段３６とを有することを特徴とすることにより上記課題を解決する。【選択図】図５
2008294763.tif 000002
【特許請求の範囲】
【請求項１】
複数階調を表す為に利用されるディザパターンを変更することでテクスチャ調整を行うテクスチャ調整装置であって、
指定された調整階調のディザパターンにおけるドット出力箇所のうち、前記調整階調を変えることなく前記ドット出力箇所を入れ替えた複数の候補ディザパターンを作成する候補ディザパターン作成手段と、
連続的に並べられた前記候補ディザパターンにより構成されるパッチを前記候補ディザパターン毎に作成して出力するパッチ出力手段と、
前記パッチ出力手段による出力結果に基づき、テクスチャが最も軽減している前記候補ディザパターンを使用者に選定させるディザパターン選定手段と
を有することを特徴とするテクスチャ調整装置。
【請求項２】
前記候補ディザパターン作成手段は、調整階調であるｎ階調のディザパターンにおけるドット出力箇所のうち、ｎ階調目から出力となるドット出力箇所及びｎ＋１階調目から出力となるドット出力箇所を取得し、前記ｎ階調目から出力となるドット出力箇所とｎ＋１階調目から出力となるドット出力箇所とを一対一に入れ替えて複数の候補ディザパターンを作成することを特徴とする請求項１記載のテクスチャ調整装置。
【請求項３】
前記パッチ出力手段は、連続的に並べられた前記候補ディザパターンにより構成されるパッチを含む連続階調チャートを前記候補ディザパターン毎に作成して出力することを特徴とする請求項１記載のテクスチャ調整装置。
【請求項４】
前記候補ディザパターン毎に作成された前記パッチを読み込んだ画像データを入力するパッチ入力手段と、
前記パッチ入力手段により入力された前記画像データを濃度値で周波数解析するパッチ周波数解析手段とを更に有し、
前記ディザパターン選定手段は、前記パッチ周波数解析手段による周波数解析結果に基づき、各パッチの周波数特性からテクスチャが最も軽減している前記候補ディザパターンを選定することを特徴とする請求項１記載のテクスチャ調整装置。
【請求項５】
前記パッチ出力手段は、連続的に並べられた前記候補ディザパターンにより構成されるパッチを前記候補ディザパターン毎に作成して印刷することを特徴とする請求項１記載のテクスチャ調整装置。
【請求項６】
前記テクスチャ調整装置は、プロッタ部及びスキャナ部を有する画像形成装置であることを特徴とする請求項１乃至５何れか一項記載のテクスチャ調整装置。
【請求項７】
複数階調を表す為に利用されるディザパターンを変更することでテクスチャ調整を行うテクスチャ調整装置におけるテクスチャ調整方法であって、
指定された調整階調のディザパターンにおけるドット出力箇所のうち、前記調整階調を変えることなく前記ドット出力箇所を入れ替えた複数の候補ディザパターンを作成する候補ディザパターン作成ステップと、
連続的に並べられた前記候補ディザパターンにより構成されるパッチを前記候補ディザパターン毎に作成して出力するパッチ出力ステップと、
前記パッチ出力ステップによる出力結果に基づき、テクスチャが最も軽減している前記候補ディザパターンを使用者に選定させるディザパターン選定ステップと
を有することを特徴とするテクスチャ調整方法。
【請求項８】
複数階調を表す為に利用されるディザパターンを変更することでテクスチャ調整を行う記憶装置、演算処理装置を含むコンピュータを、
指定された調整階調のディザパターンにおけるドット出力箇所のうち、前記調整階調を変えることなく前記ドット出力箇所を入れ替えた複数の候補ディザパターンを作成する候補ディザパターン作成手段と、
連続的に並べられた前記候補ディザパターンにより構成されるパッチを前記候補ディザパターン毎に作成して出力するパッチ出力手段と、
前記パッチ出力手段による出力結果に基づき、テクスチャが最も軽減している前記候補ディザパターンを使用者に選定させるディザパターン選定手段と
して機能させるためのテクスチャ調整プログラム。
【発明の詳細な説明】
【技術分野】
【０００１】
本発明は、テクスチャ調整装置、テクスチャ調整方法及びテクスチャ調整プログラムに係り、特に複数階調を表す為に利用されるディザパターンを変更することでテクスチャ調整を行うテクスチャ調整装置、テクスチャ調整方法及びテクスチャ調整プログラムに関するものである。
【背景技術】
【０００２】
例えば複合機等の画像形成装置では、図１又は図２のようなディザパターンを利用することで複数の階調を表現している。図１はディザパターン（４×４）を表した一例の説明図である。図２はディザパターン（８×８）を表した一例の説明図である。
【０００３】
図１のディザパターンは４×４のドット出力箇所から構成されている。ドット出力箇所に記されている数字ｎ（１〜１０）は、ｎ＋１階調のディザパターンからドットが打たれるドット出力箇所であることを表している。以下では、ドット出力箇所に記されている数字ｎをディザパターン値と呼ぶ。
【０００４】
図１のディザパターン１は１階調目のディザパターンを表している。ディザパターン２は５階調目のディザパターンを表している。また、ディザパターン３は６階調目のディザパターンを表している。例えばディザパターン２はディザパターン値が４以下のドット出力箇所にドットが打たれている。なお、図１ではドットが打たれるドット出力箇所を網掛けにより区別している。
【０００５】
図２のディザパターンは８×８のドット出力箇所から構成されている。図２のディザパターン４は５階調目のディザパターンを表している。ディザパターン４はディザパターン２を縦横２つずつ並べた構成である。ディザパターン５は６階調目のディザパターンを表している。ディザパターン５はディザパターン３を縦横２つずつ並べた構成である。
【０００６】
ディザパターンは、ドットが打たれるドット出力箇所の数や密度を階調に応じて増減させるように予めディザパターン値が設定されているものである。実際の画像処理では基準となる例えば図１のディザマスクが、入力画像に対して連続的に利用される。このとき出力画像には、テクスチャと呼ばれる視感（視覚）特性上、好ましくないウロコ状，タイル状等の模様が発生してしまう場合があった。
【０００７】
そこで、従来の画像形成装置では、テクスチャが軽減するようにディザパターンを変更する必要があった。ある階調のディザパターンを変更する場合は、新たに作成したディザパターンを連続的に利用した出力画像を実際に紙に印刷しつつ、テクスチャが最も軽減するディザパターンを試行錯誤により選定していた。
【０００８】
特許文献１にはディザパターンを作成する内容について記載されている。特許文献２にはディザパターン毎のパッチをテストシートに印刷する内容について記載されている。
【特許文献１】特開２００６−８６７２２号公報
【特許文献２】特許第３２４１９８６号公報
【発明の開示】
【発明が解決しようとする課題】
【０００９】
ディザパターンを変更することでテクスチャ調整を行う場合は、調整する階調（調整階調）以外のディザパターンに影響を与えないように注意する必要があった。また、テクスチャが最も軽減するディザパターンを試行錯誤により選定する為の作業量は多い為、テクスチャ調整を迅速且つ容易に行うことができないという問題があった。
【００１０】
本発明は、上記の点に鑑みなされたもので、テクスチャ調整を迅速かつ容易に行うことができるテクスチャ調整装置、テクスチャ調整方法及びテクスチャ調整プログラムを提供することを目的とする。
【課題を解決するための手段】
【００１１】
上記の課題を解決するため、本発明は、複数階調を表す為に利用されるディザパターンを変更することでテクスチャ調整を行うテクスチャ調整装置であって、指定された調整階調のディザパターンにおけるドット出力箇所のうち、前記調整階調を変えることなく前記ドット出力箇所を入れ替えた複数の候補ディザパターンを作成する候補ディザパターン作成手段と、連続的に並べられた前記候補ディザパターンにより構成されるパッチを前記候補ディザパターン毎に作成して出力するパッチ出力手段と、前記パッチ出力手段による出力結果に基づき、テクスチャが最も軽減している前記候補ディザパターンを使用者に選定させるディザパターン選定手段とを有することを特徴とする。
【００１２】
前記候補ディザパターン作成手段は、調整階調であるｎ階調のディザパターンにおけるドット出力箇所のうち、ｎ階調目から出力となるドット出力箇所及びｎ＋１階調目から出力となるドット出力箇所を取得し、前記ｎ階調目から出力となるドット出力箇所とｎ＋１階調目から出力となるドット出力箇所とを一対一に入れ替えて複数の候補ディザパターンを作成することを特徴としてもよい。
【００１３】
前記パッチ出力手段は、連続的に並べられた前記候補ディザパターンにより構成されるパッチを含む連続階調チャートを前記候補ディザパターン毎に作成して出力することを特徴としてもよい。
【００１４】
前記候補ディザパターン毎に作成された前記パッチを読み込んだ画像データを入力するパッチ入力手段と、前記パッチ入力手段により入力された前記画像データを濃度値で周波数解析するパッチ周波数解析手段とを更に有し、前記ディザパターン選定手段は、前記パッチ周波数解析手段による周波数解析結果に基づき、各パッチの周波数特性からテクスチャが最も軽減している前記候補ディザパターンを選定することを特徴としてもよい。
【００１５】
前記パッチ出力手段は、連続的に並べられた前記候補ディザパターンにより構成されるパッチを前記候補ディザパターン毎に作成して印刷することを特徴としてもよい。
【００１６】
前記テクスチャ調整装置は、プロッタ部及びスキャナ部を有する画像形成装置であることを特徴としてもよい。
【００１７】
なお、本発明の構成要素、表現または構成要素の任意の組合せを、方法、装置、システム、コンピュータプログラム、記録媒体、データ構造などに適用したものも本発明の態様として有効である。
【発明の効果】
【００１８】
本発明によれば、テクスチャ調整を迅速かつ容易に行うことができるテクスチャ調整装置、テクスチャ調整方法及びテクスチャ調整プログラムを提供可能である。
【発明を実施するための最良の形態】
【００１９】
次に、本発明を実施するための最良の形態を、以下の実施例に基づき図面を参照しつつ説明していく。まず、ツールを使ったテクスチャ調整について説明する。
【００２０】
図３はテクスチャ調整を行う一例のシステム構成図である。図３のシステムは、テクスチャ調整装置１０，プリンタ１１及びスキャナ１２が、ＬＡＮなどのネットワーク１３を介してデータ通信可能に接続されている。図３のシステムはネットワーク１３を介さずに直接、接続してもよい。
【００２１】
テクスチャ調整装置１０は例えばパーソナルコンピュータ等により実現される。テクスチャ調整装置１０はツールにより後述のテクスチャ調整を行う。なお、テクスチャ調整装置１０はプリンタドライバ及びスキャナドライバがインストールされており、そのプリンタドライバ及びスキャナドライバによってプリンタ１１及びスキャナ１２を制御する。
【００２２】
プリンタ１１は、プリンタエンジン及びプリンタコントローラを備え、テクスチャ調整装置１０にインストールされているプリンタドライバによって制御される。プリンタ１１は後述の連続階調チャートを紙などの記録媒体上に印刷する。
【００２３】
また、スキャナ１２はスキャナエンジン及びスキャナコントローラを備え、テクスチャ調整装置１０にインストールされているスキャナドライバによって制御される。スキャナ１２は紙などの記録媒体上に印刷された後述の連続階調チャートを読み込む。
【００２４】
テクスチャ調整装置１０は、図４に示すような一般的なコンピュータシステムによって構成される。図４はコンピュータシステムの一例のハードウェア構成図である。図４に示したコンピュータシステムは、バスＢで相互に接続されている入力装置２１，出力装置２２，ドライブ装置２３，補助記憶装置２４，主記憶装置２５，演算処理装置２６及びインターフェース装置２７を含むように構成される。
【００２５】
入力装置２１はキーボードやマウスなどで構成され、各種操作指示を入力するために用いられる。出力装置２２はディスプレイ装置などで構成され、各種ウインドウやデータ等を表示するために用いられる。インターフェース装置２７は、モデム，ＬＡＮカードなどで構成されており、ネットワーク１３に接続する為に用いられる。
【００２６】
本発明によるテクスチャ調整プログラムは、テクスチャ調整装置１０を制御する各種プログラムの少なくとも一部である。テクスチャ調整プログラムは、例えば記録媒体２８の配布やネットワーク１３からのダウンロードなどによって提供される。
【００２７】
なお、テクスチャ調整プログラムを記録した記録媒体２８は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００２８】
テクスチャ調整プログラムを記録した記録媒体２８がドライブ装置２３にセットされると、テクスチャ調整プログラムは、記録媒体２８からドライブ装置２３を介して補助記憶装置２４にインストールされる。ネットワーク１３からダウンロードされたテクスチャ調整プログラムは、インターフェース装置２７を介して補助記憶装置２４にインストールされる。
【００２９】
また、補助記憶装置２４は、インストールされたテクスチャ調整プログラムを格納すると共に、必要なファイル，データ等を格納する。主記憶装置２５は、起動時に補助記憶装置２４からテクスチャ調整プログラムを読み出して格納する。演算処理装置２６は主記憶装置２５に格納されたテクスチャ調整プログラムに従って、後述するような各種処理を実現している。なお、テクスチャ調整を行う後述のツールはテクスチャ調整プログラムの一例である。
【００３０】
図５はテクスチャ調整を行うツールのブロック図である。図５のツール３０は、テクスチャ調整画面表示部３１，候補ディザパターン作成部３２，連続階調チャート作成出力部３３，連続階調チャート入力部３４，連続階調チャート周波数解析部３５およびディザパターン選定部３６を有する構成である。
【００３１】
テクスチャ調整画面表示部３１は後述するようなテクスチャ調整画面を作成し、出力装置２２に表示させる。候補ディザパターン作成部３２は、後述の候補ディザパターンを作成する。連続階調チャート作成出力部３３は、後述の連続階調チャートを作成し、出力装置２２又はプリンタ１１に出力させる。
【００３２】
連続階調チャート入力部３４は、スキャナ１２によって読み込まれた連続階調チャートの画像データが入力される。連続階調チャート周波数解析部３５は、連続階調チャートから読み込まれたパッチを濃度で周波数解析する。
【００３３】
ディザパターン選定部３６はテクスチャが最も軽減している候補ディザパターンを使用者に選定させる。また、ディザパターン選定部３６は連続階調チャート周波数解析部３５によって周波数解析された各パッチの周波数特性からテクスチャが最も軽減している候補ディザパターンを選定する。なお、図５に示すツール３０の処理の詳細は後述する。
【００３４】
ディザパターンは、次のような画像処理において利用される。図６はディザパターンを利用する画像処理の手順を表す一例のフローチャートである。図６の画像処理は例えばプリンタドライバによって実行される。以下、図６の画像処理はプリンタドライバが実行するものとして説明する。
【００３５】
アプリケーション４１は印刷命令をＯＳ（オペレーティングシステム）経由でプリンタドライバへ発する。印刷命令が発せられると、プリンタドライバは図６に示す画像処理を実行し、入力画像データから２値又は多値の出力データ（印刷データ）を生成する。プリンタドライバは印刷データをプリンタ１１へ出力する。プリンタ１１は印刷データに基づき、紙などの記録媒体に印刷（印字）を行う。
【００３６】
ステップＳ１１では、プリンタドライバが、アプリケーション４１から印刷命令及び入力画像データを受け取る。図７は、入力画像のイメージ図である。図７の上段の四角は同一階調の画素７１によって構成されたパッチ７０を表している。なお、パッチ７０の上側に記載されている数字は、そのパッチ７０の階調を表している。画素７１には、それぞれＲＧＢ値が割り当てられている。プリンタドライバは色の表現方法であるＲＧＢからＣＭＹＫへ入力画像データの色空間を変換する色変換処理を行う。
【００３７】
ステップＳ１２に進み、プリンタドライバはプリンタ１１の特性，グレーバランスなどを考慮してＣＭＹＫの入力画像データを調整するガンマ（γ）変換処理を行う。図８はガンマ変換処理後の入力画像のイメージ図である。色変換処理，ガンマ変換処理後の入力画像は、シアン，マゼンタ，イエロー，ブラック（ＣＭＹＫ）の各プレーン８１〜８４に分解される。
【００３８】
ステップＳ１３に進み、プリンタドライバは、ガンマ変換処理後のＣＭＹＫの入力画像データを、プリンタ１１で出力可能な２値又は多値の出力データ（印刷データ）とする為の中間調処理を行う。ディザパターンは、ステップＳ１３の中間調（ディザ）処理時において利用されるものである。
【００３９】
図９は中間調処理のイメージ図である。中間調処理は、ＣＭＹＫの各プレーン８１〜８４に対して行われる。図９では、一例としてシアンのプレーン８１を表している。中間調処理では、例えば図１に示すような基準となるディザパターン１〜３等がプレーン８１を構成する各パッチに、連続的に利用される。
【００４０】
図９では、一例として３階調目及び４階調目のパッチを拡大して表している。３階調目のパッチは３階調目のディザパターン９１が連続的に利用される。４階調目のパッチは４階調目のディザパターン９２が連続的に利用される。図１０は中間調処理後の印刷データのイメージ図である。図１０では２値の印刷データを一例として示している。
【００４１】
ステップＳ１４に進み、プリンタドライバは中間調処理後の印刷データを、プリンタ１１の各ノズルに割り当てるラスタライジング処理を行う。ステップＳ１５に進み、プリンタドライバは、ラスタライジング処理後の印刷データをプリンタ１１へ出力する。
【００４２】
図６に示した画像処理は図１１に示すようにテクスチャ調整装置１０にて行っても図１２に示すようにプリンタ１１にて行ってもよい。図１１はテクスチャ調整装置にて画像処理を行う場合の処理ブロック図である。図１２はプリンタにて画像処理を行う場合の処理ブロック図である。
【００４３】
ディザパターンは、ラスタライジング処理を図１１のようにテクスチャ調整装置１０で行う場合、テクスチャ調整装置１０にて行う画像処理で利用される。ディザパターンはラスタライジング処理を図１２のようにプリンタ１１で行う場合、プリンタ１１にて行う画像処理で利用される。なお、図１２のプリンタ１１は画像形成装置の一例である。
【００４４】
以下、本発明によるテクスチャ調整処理について説明する。図１３はテクスチャ調整画面の一例のイメージ図である。テクスチャ調整画面１３０はテクスチャ調整画面表示部３１によって作成され、出力装置２２に表示される。テクスチャ調整画面１３０は、調整階調入力欄１３１，調整実施ボタン１３２，チャート印刷ボタン１３３，ディザパターン選定ボタン１３４，ディザパターン１３５を有する構成である。
【００４５】
使用者が調整階調入力欄１３１に調整階調を入力すると、テクスチャ調整画面表示部３１は図１４に示すように、調整階調においてドットが打たれるドット出力箇所を色や網掛け等、視覚的に区別して表示する。図１４は調整階調のディザパターンが表示されたテクスチャ調整画面の一例のイメージ図である。図１４のテクスチャ調整画面１３０は一例として調整階調が５のディザパターン１３６を表している。
【００４６】
また、使用者が調整階調入力欄１３１に調整階調を入力した状態で調整実施ボタン１３２を押下すると、テクスチャ調整画面表示部３１は候補ディザパターン作成部３２に調整階調の候補ディザパターンの作成を要求する。候補ディザパターン作成部３２は調整階調の候補ディザパターンを図１５のフローチャートに示す手順で作成する。
【００４７】
図１５は候補ディザパターン作成処理の一例を表したフローチャートである。ステップＳ２１に進み、候補ディザパターン作成部３２は調整階調がｎ階調であるとき、入替対象階調としてディザパターン値が「ｎ」及び「ｎ−１」のドット出力箇所を取得する。
【００４８】
ステップＳ２２に進み、候補ディザパターン作成部３２はディザパターン１３６におけるディザパターン値が「ｎ」のドット出力箇所と「ｎ−１」のドット出力箇所とを入れ替えた候補ディザパターンを作成する。ステップＳ２３に進み、候補ディザパターン作成部３２はステップＳ２２で作成した候補ディザパターンをテクスチャ調整画面表示部３１に出力する。ステップＳ２２及びＳ２３の処理は、ディザパターン値が「ｎ」のドット出力箇所と「ｎ−１」のドット出力箇所との入れ替えの組み合わせ数だけループして繰り返し行われる。
【００４９】
テクスチャ調整画面表示部３１は、候補ディザパターン作成部３２によって作成された候補ディザパターン１３７〜１３９を、図１６のようにテクスチャ調整画面１３０へ表示する。図１６は候補ディザパターンが表示されたテクスチャ調整画面の一例のイメージ図である。図１６のテクスチャ調整画面１３０は、一例として調整階調が５の候補ディザパターン１３７〜１３９を表している。
【００５０】
図１６のように、候補ディザパターン１３７〜１３９がテクスチャ調整画面１３０に表示された状態でチャート印刷ボタン１３３が押下されると、連続階調チャート作成出力部３３は図１７のような連続階調チャートを作成し、プリンタ１１等に印刷させる。
【００５１】
図１７は連続階調チャートの一例のイメージ図である。図１７の連続階調チャート紙１７０は候補ディザパターン１３７〜１３９を利用した連続階調チャート１７１〜１７３と現時点で選定されているディザパターンの連続階調チャート１７４とが印刷されている例を表している。連続階調チャートとは、ＲＧＢ値が１ずつ減るチャートを各候補ディザパターン１３７〜１３９，現時点で選定されているディザパターン毎に作成して印刷したものである。
【００５２】
連続階調チャート１７１〜１７３を利用すれば、候補ディザパターン１３７〜１３９の中から最もテクスチャが軽減されている候補ディザパターンを選定できる。候補ディザパターン１３７〜１３９の中から最もテクスチャが軽減されている候補ディザパターンを選定する方法としては、使用者による目視確認の他、後述するような濃度値の周波数解析により自動的に確認する方法もある。
【００５３】
なお、候補ディザパターン１３７〜１３９がテクスチャ調整画面１３０に表示されていない状態でチャート印刷ボタン１３３が押下されると、連続階調チャート作成出力部３３は現時点で選定されているディザパターンの連続階調チャート１７４を印刷した連続階調チャート紙を出力する。
【００５４】
図１６のように、候補ディザパターン１３７〜１３９がテクスチャ調整画面１３０に表示された状態でディザパターン選定ボタン１３４が押下されると、ディザパターン選定部３６は候補ディザパターン１３７〜１３９の中から、テクスチャが最も軽減している候補ディザパターンを使用者に選定させる。
【００５５】
また、ディザパターン選定部３６は連続階調チャート周波数解析部３５によって周波数解析された連続階調チャート１７１〜１７３の各パッチの周波数特性から後述するようにテクスチャが最も軽減している候補ディザパターンを選定する。
【００５６】
次に、目視確認によるテクスチャ調整処理の手順について説明する。図１８は目視確認によるテクスチャ調整処理の手順を表した一例のフローチャートである。
【００５７】
ステップＳ３１に進み、テクスチャ調整画面表示部３１は、候補ディザパターンがテクスチャ調整画面１３０に表示されていない状態でチャート印刷ボタン１３３が押下されたため、現時点で選定されている調整階調のディザパターンの連続階調チャート１７４をシミュレーション表示する。
【００５８】
ステップＳ３２に進み、テクスチャ調整画面表示部３１は使用者に連続階調チャート１７４のテクスチャを目視確認させ、テクスチャ調整の必要な階調を判断させる。使用者はテクスチャ調整が必要と判断した階調を調整階調として調整階調入力欄１３１に順次入力する。
【００５９】
ステップＳ３３に進み、使用者が調整階調入力欄１３１に調整階調を入力した状態で調整実施ボタン１３２を押下すると、テクスチャ調整画面表示部３１は候補ディザパターン作成部３２に調整階調の候補ディザパターン１３７〜１３９を作成させる。
【００６０】
ステップＳ３４に進み、テクスチャ調整画面表示部３１は候補ディザパターン作成部３２によって作成された候補ディザパターン１３７〜１３９を、テクスチャ調整画面１３０へ表示する。候補ディザパターン１３７〜１３９を、テクスチャ調整画面１３０へ表示した後の処理は前述した通りである。
【００６１】
図１９は目視確認によるテクスチャ調整処理の手順を表した他の一例のフローチャートである。
【００６２】
ステップＳ４１に進み、テクスチャ調整画面表示部３１は、候補ディザパターンがテクスチャ調整画面１３０に表示されていない状態でチャート印刷ボタン１３３が押下されたため、現時点で選定されている調整階調のディザパターンの連続階調チャート１７４をシミュレーション表示する。
【００６３】
ステップＳ４２に進み、テクスチャ調整画面表示部３１は使用者に連続階調チャート１７４のテクスチャを目視確認させ、テクスチャ調整の必要な階調を判断させる。使用者はテクスチャ調整が必要と判断した階調を調整階調として調整階調入力欄１３１に順次入力する。
【００６４】
ステップＳ４３に進み、使用者が調整階調入力欄１３１に調整階調を入力した状態で調整実施ボタン１３２を押下すると、テクスチャ調整画面表示部３１は候補ディザパターン作成部３２に調整階調の候補ディザパターン１３７〜１３９を作成させる。
【００６５】
ステップＳ４４に進み、テクスチャ調整画面表示部３１は、候補ディザパターン作成部３２によって作成された候補ディザパターン１３７〜１３９による連続階調チャート１７１〜１７３を連続階調チャート作成出力部３３に作成させ、図１７の連続階調チャート紙１７０を印刷する。図１７の連続階調チャート紙１７０を印刷した後の処理は前述した通りである。
【００６６】
次に、周波数解析によるテクスチャ調整処理の手順について説明する。図２０は周波数解析によるテクスチャ調整処理の手順を表した一例のフローチャートである。
【００６７】
使用者は、例えば図１７の連続階調チャート紙１７０をスキャナ１２にセットする。ステップＳ５１に進み、連続階調チャート入力部３４はスキャナ１２によって読み込まれた連続階調チャート紙１７０の画像データを入力される。ステップＳ５２に進み、連続階調チャート周波数解析部３５は、連続階調チャート１７１〜１７３から読み込まれたパッチを図２１のように濃度で周波数解析する。
【００６８】
図２１は濃度による周波数解析を表した説明図である。例えば図２１の説明図では連続階調チャート周波数解析部３５が、連続階調チャート１７１〜１７３のうち、３階調目のパッチを濃度で周波数解析している様子を表している。
【００６９】
ステップＳ５３に進み、連続階調チャート周波数解析部３５はステップＳ５２の周波数解析の結果に基づき、候補ディザパターン１３７〜１３９からテクスチャが最も軽減している候補ディザパターンを選定できる。なお、図２１では、観察区間が１つのパッチに対応している。図２１の周波数解析の結果では、濃度分布が最も一様であり、特異な模様などが目に付きにくい連続階調チャート１７３に対応する候補ディザパターン１３９が選定されることとなる。
【００７０】
以上、本発明では、調整階調がｎ階調であるとき、入替対象階調としてディザパターン値が「ｎ」及び「ｎ−１」のドット出力箇所を取得し、調整階調のディザパターンにおけるディザパターン値が「ｎ」のドット出力箇所と「ｎ−１」のドット出力箇所とを入れ替えた候補ディザパターンを作成することにより、調整階調以外のディザパターンへの影響を抑えた候補ディザパターンを容易に作成できる。
【００７１】
使用者は、調整階調以外のディザパターンへの影響を抑えた候補ディザパターンによる連続階調チャートを目視することで、ある程度絞り込まれた後のディザパターンからテクスチャが最も軽減するディザパターンを選定できる。また、使用者は、濃度による周波数解析を利用することで、ある程度絞り込まれた後のディザパターンからテクスチャが最も軽減するディザパターンを自動的に選定できる。
【００７２】
このように、本発明によるテクスチャ調整ではテクスチャ調整を迅速かつ容易に行うことが可能である。
【００７３】
本発明は、具体的に開示された実施例に限定されるものではなく、特許請求の範囲から逸脱することなく、種々の変形や変更が可能である。
【図面の簡単な説明】
【００７４】
【図１】ディザパターン（４×４）を表した一例の説明図である。
【図２】ディザパターン（８×８）を表した一例の説明図である。
【図３】テクスチャ調整を行う一例のシステム構成図である。
【図４】コンピュータシステムの一例のハードウェア構成図である。
【図５】テクスチャ調整を行うツールのブロック図である。
【図６】ディザパターンを利用する画像処理の手順を表す一例のフローチャートである。
【図７】入力画像のイメージ図である。
【図８】ガンマ変換処理後の入力画像のイメージ図である。
【図９】中間調処理のイメージ図である。
【図１０】中間調処理後の印刷データのイメージ図である。
【図１１】テクスチャ調整装置にて画像処理を行う場合の処理ブロック図である。
【図１２】プリンタにて画像処理を行う場合の処理ブロック図である。
【図１３】テクスチャ調整画面の一例のイメージ図である。
【図１４】調整階調のディザパターンが表示されたテクスチャ調整画面の一例のイメージ図である。
【図１５】候補ディザパターン作成処理の一例を表したフローチャートである。
【図１６】候補ディザパターンが表示されたテクスチャ調整画面の一例のイメージ図である。
【図１７】連続階調チャートの一例のイメージ図である。
【図１８】目視確認によるテクスチャ調整処理の手順を表した一例のフローチャートである。
【図１９】目視確認によるテクスチャ調整処理の手順を表した他の一例のフローチャートである。
【図２０】周波数解析によるテクスチャ調整処理の手順を表した一例のフローチャートである。
【図２１】濃度による周波数解析を表した説明図である。
【符号の説明】
【００７５】
１〜５，９１，９２，１３６    ディザパターン
１０    テクスチャ調整装置
１１    プリンタ
１２    スキャナ
１３    ネットワーク
２１    入力装置
２２    出力装置
２３    ドライブ装置
２４    補助記憶装置
２５    主記憶装置
２６    演算処理装置
２７    インターフェース装置
２８    記録媒体
３０    ツール
３１    テクスチャ調整画面表示部
３２    候補ディザパターン作成部
３３    連続階調チャート作成出力部
３４    連続階調チャート入力部
３５    連続階調チャート周波数解析部
３６    ディザパターン選定部
４１    アプリケーション
７０    パッチ
７１    画素
８１〜８４    プレーン
１３０    テクスチャ調整画面
１３１    調整階調入力欄
１３２    調整実施ボタン
１３３    チャート印刷ボタン
１３４    ディザパターン選定ボタン
１３５    ディザパターン
１３６〜１３９    候補ディザパターン
１７０    連続階調チャート紙
１７１〜１７４    連続階調チャート
Ｂ    バス
【図１】
2008294763.tif 000003
【図２】
2008294763.tif 000004
【図３】
2008294763.tif 000005
【図４】
2008294763.tif 000006
【図５】
2008294763.tif 000007
【図６】
2008294763.tif 000008
【図７】
2008294763.tif 000009
【図８】
2008294763.tif 000010
【図９】
2008294763.tif 000011
【図１０】
2008294763.tif 000012
【図１１】
2008294763.tif 000013
【図１２】
2008294763.tif 000014
【図１３】
2008294763.tif 000015
【図１４】
2008294763.tif 000016
【図１５】
2008294763.tif 000017
【図１６】
2008294763.tif 000018
【図１７】
2008294763.tif 000019
【図１８】
2008294763.tif 000020
【図１９】
2008294763.tif 000021
【図２０】
2008294763.tif 000022
【図２１】
2008294763.tif 000023